(57)【要約】      （修正有）【課題】左側と右側に刃の向きを変えて取り付けることによって、被切断物をフレームとノコ刃の間で移動できる範囲内では自由自在に切断することを可能とするとともに、ノコ刃をノコギリ本体の右側あるいは左側に付け替えることで、フレームとノコ刃の間の距離に切断距離が限定されないノコ刃を３方向に取付け可能なノコギリ本体を提供する。【解決手段】ハンドル部２と、フレーム部３と、フレーム部３の下端部のノコ刃前方取付部４と、ハンドル部２の下方部前方のノコ刃後方取付部５とからなり、糸ノコをノコ刃前方取付部４とノコ刃後方取付部５に取り付ける。ノコ刃前方取付部４とノコ刃後方取付部５の各々はそれぞれ対応する左側面、右側面、底側面を有し、左側面、右側面、底側面の各々には糸ノコの端部を取付けるための取付溝部が形成されている。【選択図】図１
0003175044.tif 000002
【実用新案登録請求の範囲】
【請求項１】
ハンドル部と、ハンルド部の上方部から前方方向に弓状下方に延びるフレーム部と、フレーム部の下端部に取り付けられたノコ刃前方取付部と、ハンドル部の下方部前方に位置するノコ刃後方取付部とからなり、糸ノコの前端部をノコ刃前方取付部に取付け、糸ノコの後端部をノコ刃後方取付部に取り付けるようにされたノコ刃を3方向に取付け可能なノコギリ本体であって、ノコ刃前方取付部とノコ刃後方取付部の各々はそれぞれ対応する左側面、右側面、底側面を有し、左側面、右側面、底側面の各々には糸ノコの前端部をノコ刃前方取付部に取付けるための取付溝部、及び糸ノコの後端部をノコ刃後方取付部に取り付けるための取付溝部が形成されている、ノコ刃を３方向に取付け可能なノコギリ本体。
【請求項２】
ノコ刃は前端部及び後端部にノコ刃面の両面にノコ刃面から垂直方向に延びる取付ピンを有し、左側面、右側面、底側面の各々の取付溝部は取付けるノコ刃と平行な第１の溝とそれに交差する第２の溝とにより十字形状とされ、十字形状の取付溝部にノコ刃を取り付ける際に、ノコ刃の端部を十字形状の取付溝部の第１の取付溝に係合し、ノコ刃の端部の取付ピンを十字形状の取付溝の第２溝に係合するようになっている、請求項１に記載のノコ刃を３方向に取付け可能なノコギリ本体。
【請求項３】
フレーム部の前端部及び／又はハンドル部の下方後端部に、ガラス板切断用ローラが固定ピンにより前後方向に回転可能に保持されている、請求項１または２に記載のノコ刃を３方向に取付け可能なノコギリ本体。
【請求項４】
ハンドル部の下端部には、幅の異なる複数の溝部が設けられている、請求項１乃至３のいずれかに記載のノコ刃を３方向に取付け可能なノコギリ本体。
【考案の詳細な説明】
【技術分野】
【０００１】
本考案は、ノコ刃を上下方向、左方向あるいは右方向に向けて取り付けることを可能とする、ノコ刃を３方向に取付可能なノコギリ本体に関するものである。
【背景技術】
【０００２】
現在使用されているノコ刃を付けて使うノコギリ本体は、ハンドル部を基準として上から下への直線切りしかできず、ハンドル部の下前部とフレーム部の先端部との間にノコ刃を取り付けて使うノコギリの構成上、フレーム部とノコ刃との間の距離が短いため、幅のある木や上下に長い距離を切断する時に、フレームが被切断対象に引っかかってしまい、切断長さには限界があった。
【考案の概要】
【考案が解決しようとする課題】
【０００３】
従来のハンドル部とフレーム部とを有するノコギリは上下方向の直線切りのみに限定されていたが、本考案は、ノコギリ本体の左側と右側に刃の向きを変えて取り付けることによって、切断しようとする被切断物の形、長さなどにかかわらず、フレームとノコ刃の間で移動できる範囲内では自由自在に切断することを可能とするとともに、ノコ刃をノコギリ本体の右側あるいは左側に付け替えることで、フレームとノコ刃の間の距離に切断距離が限定されず更に切り進むことを可能とするノコ刃を3方向に取付け可能なノコギリ本体を提供することを目的とする。
【課題を解決するための手段】
【０００４】
（１）本考案に係るノコ刃を３方向に取付け可能なノコギリ本体は、ハンドル部と、ハンルド部の上方部から前方方向に弓状下方に延びるフレーム部と、フレーム部の下端部に取り付けられたノコ刃前方取付部と、ハンドル部の下方部前方に位置するノコ刃後方取付部とからなり、糸ノコの前端部をノコ刃前方取付部に取付け、糸ノコの後端部をノコ刃後方取付部に取り付けるようにされたノコ刃を3方向に取付け可能なノコギリ本体であって、ノコ刃前方取付部とノコ刃後方取付部の各々はそれぞれ対応する左側面、右側面、底側面を有し、左側面、右側面、底側面の各々には糸ノコの前端部をノコ刃前方取付部に取付けるための取付溝部、及び糸ノコの後端部をノコ刃後方取付部に取り付けるための取付溝部が形成されていることを特徴とする。
【０００５】
以下に、本考案の好ましい実施態様を述べる。
（２）ノコ刃は前端部及び後端部にノコ刃面の両面にノコ刃面から垂直方向に延びる取付ピンを有し、左側面、右側面、底側面の各々の取付溝部は取付けるノコ刃と平行な第１の溝とそれに交差する第２の溝とにより十字形状とされ、十字形状の取付溝部にノコ刃を取り付ける際に、ノコ刃の端部を十字形状の取付溝部の第１の取付溝に係合し、ノコ刃の端部の取付ピンを十字形状の取付溝部の第２溝に係合するようになっている。
（３）フレーム部の前端部及び／又はハンドル部の下方後端部に、ガラス板切断用ローラが固定ピンにより前後方向に回転可能に保持されている。
（４）ハンドル部の下端部には、幅の異なる複数の溝部が設けられている。
【考案の効果】
【０００６】
本考案に係るノコ刃を3方向に取付け可能なノコギリ本体は、ノコ刃前方取付部とノコ刃後方取付部の各々の、それぞれ対応する左側面、右側面、底側面のいずれかの面に糸ノコ前端部及び糸ノコ後端部を装着することによって、切断する刃を下向き、左向き、あるいは右向きとすることができるので、多様な切断方法を採用できる。また、ノコ刃とフレーム部との間の距離が限られているので上から下に切断する場合に切断限界に達した場合でも、ノコ刃をノコギリ本体の左側面あるいは右側面に取り付けることによって、さらに上下に切り進めることができる。
【図面の簡単な説明】
【０００７】
【図１】本考案に係るノコ刃を3方向に取付け可能なノコギリ本体の一実施態様の斜視図である。
【図２】本考案に係るノコ刃を3方向に取付け可能なノコギリ本体の一実施態様の正面図である。
【図３】本考案に係るノコ刃を3方向に取付け可能なノコギリ本体の一実施態様の底面図である。
【図４】（ａ）は本考案に係るノコ刃を3方向に取付け可能なノコギリ本体のノコ刃前方取付部の正面図であり、（ｂ）は底面図であり、（ｃ）は右側面図である。
【図５】（ａ）は本考案に係るノコ刃を3方向に取付け可能なノコギリ本体のノコ刃後方取付部を取り外した状態での正面図であり、（ｂ）は底面図であり、（ｃ）は左側面図である。
【図６】（ａ）はノコ刃の平面図、（ｂ）はノコ刃の正面図である。
【図７】ノコ刃の刃を下向きとなるようにノコギリ本体に取り付けた状態の斜視図である。
【図８】ノコ刃の刃を紙面前方となるようにノコギリ本体に取り付けた状態の斜視図である。
【考案を実施するための形態】
【０００８】
以下に、本考案を図示するノコ刃を3方向に取付け可能なノコギリ本体の一実施態様に基づいて詳細に説明する。しかしながら、本考案は図示するノコギリ本体に限定されるものではなく、考案の請求の範囲内であれば種々の変更が可能であることは言うまでもない。
【０００９】
図1は、本考案に係るノコ刃を3方向に取付け可能なノコギリ本体の一実施態様の斜視図であり、図2はその正面図であり、図3はその底面図である。
【００１０】
本考案に係るノコ刃を3方向に取付け可能なノコギリ本体１は、上下に延び手で把持されるハンドル部２と、取付部とされたハンドル部２の上方部に装着され前方方向に弓状下方に延びる中空４角柱状のフレーム部３と、フレーム部３の下端部に取り付けられたノコ刃前方取付部４と、ハンドル部の下方部前方に位置するノコ刃後方取付部５とからなり、図６に示す糸ノコSの前端部をノコ刃前方取付部４に取付け、糸ノコＳの後端部をノコ刃後方取付部５に取り付ける。なお、本実施態様ではフレーム部３として前方方向にノコ刃と平行に延び、その後斜め下方に延びる構造としたが、まず前方方向に平行に延び、その後ほぼ下方に延びる形状等とすることもできる。
【００１１】
本実施態様では、ハンドル部２は握りの深い把持部２ａと握りの浅い把持部２ｂとを有し、使用者の好みに応じて把持部２ａあるいは把持部２ｂを選択し把持することができる。図中６は、固定ピンにより前後方向に回転可能に保持されたガラス板切断用ローラ６であり、７は種々の幅を有する複数のガラス板保持溝である。ガラス板切断用ローラ６でガラス板上に切り欠き線を入れ、ガラス板の端部を適当な溝７に嵌入してガラスを切り欠き線に沿って切断する。
【００１２】
図１〜図５に示すように、ノコ刃前方取付部４とノコ刃後方取付部５の各々は、前方方向に向かって見て、それぞれ対応する左側面、右側面、底側面を有し、左側面、右側面、底側面の各々には糸ノコＳの前端部をノコ刃前方取付部４に取付けるための取付溝部、及び糸ノコの後端部をノコ刃後方取付部に取り付けるための取付溝部が形成されている。
【００１３】
図４（ａ）において、ノコ刃前方取付部４の左側面は後方に向けて内方に傾斜する傾斜面１０ａが設けられ、図示するように糸ノコＳと平行に延びる溝８−１ａとそれに対して垂直に延びる溝８−１ｂとからなる十字状の取付溝部が設けられ、溝８−１ａには糸ノコＳの先端部が嵌入され、溝８−１ｂには糸ノコＳの前端部の両面に設けた固定ピンＳ１が係合するようになっている。
【００１４】
図４（ｂ）において、ノコ刃前方取付部４の底側面には後方に向けて内方に傾斜する傾斜面１０ｂが設けられ、図示するように糸ノコＳと平行に延びる溝８−２ａとそれに対して垂直に延びる溝８−２ｂとからなる十字状の溝部が設けられ、溝８−２ａには糸ノコの先端部が嵌入され、溝８−２ｂには糸ノコの前端部の両面に設けた固定ピンＳ１が係合するようになっている。
【００１５】
図４（ｂ）と図４（ｃ）から分かるように、ノコ刃前方取付部４の右側面には後方に向けて内方に傾斜する傾斜面１０ｃが設けられ、図示するように糸ノコと平行に延びる溝８−３ａとそれに対して垂直に延びる溝８−３ｂとからなる十字状の溝部が設けられ、溝８−３ａには糸の先端部が嵌入され、溝８−３ｂには糸ノコの前端部の両面に設けた固定ピンＳ１が係合するようになっている。なお、ノコ刃前方取付部５の上方に延びる部位Ｅは、ハンドル部の前方下端部の開口に挿入・固定される。
【００１６】
ノコ刃後方取付部５の背面にはネジ部１２が設けられ、ノコ刃後方取付部５はノコ刃後方取付部用保持部１１によって保持され、ネジ部１２に螺合させた調整ナット１３により位置調整され固定されるようになっている。図５ａにおいて、ノコ刃後方取付部５の左側面には前方に向かって内方に傾斜する傾斜面１４ａが設けられ、図示するように糸ノコＳと平行に延びる溝９−１ａとそれに対して垂直に延びる溝９−１ｂとからなる十字状の溝部が設けられ、溝９−１ａには糸ノコＳの後端部が嵌入され、溝９−１ｂには糸ノコＳの後端部の両面に設けた固定ピンＳ２が係合するようになっている。
【００１７】
図５（ｂ）において、ノコ刃後方取付部５の底側面には後方に向けて内方に傾斜する傾斜面１４ｂが設けられ、図示するように糸ノコと平行に延びる溝９−２ａとそれに対して垂直に延びる溝９−２ｂとからなる十字状の溝部が設けられ、溝９−２ａには糸ノコの後端部が嵌入され、溝９−２ｂには糸ノコＳの後端部の両面に設けた固定ピンＳ２が係合するようになっている。
【００１８】
図５（ｂ）と図５（ｃ）から分かるように、ノコ刃後方取付部５の右側面には前方に向けて内方に傾斜する傾斜面１４ｃが設けられ、図示するように糸ノコＳと平行に延びる溝９−３ａとそれに対して垂直に延びる溝９−３ｂとからなる十字状の溝部が設けられ、溝９−３ａには糸ノコＳの後端部が嵌入され、溝８−３ｂには糸ノコＳの後端部の両面に設けた固定ピンＳ２が係合するようになっている。
【００１９】
図7は、ノコ刃の前方端部及び後方端部をそれぞれノコ刃前方取付部４とノコ刃後方取付部５の底側面の十字状の溝部に取り付けて、ノコ刃の刃先を下方に向けた状態を示す。図８は、ノコ刃の前方端部及び後方端部をそれぞれノコ刃前方取付部４とノコ刃後方取付部５の左側面の十字状の溝部に取り付けて、ノコ刃の刃先を紙面前方下方に向けた状態を示す。
【符号の説明】
【００２０】
１・・・ノコギリ本体、２・・・ハンドル部、２ａ、２ｂ・・・把持部、３・・・フレーム部、４・・・ノコ刃前方取付部、５・・・ノコ刃後方取付部、６・・・ガラス板切断用ローラ、７・・・ガラス板保持溝、８−１ａ、８−１ｂ、８−２ａ、８−２ｂ、８−３ａ、８−３ｂ・・・溝、９−１ａ、９−１ｂ、９−２ａ、９−２ｂ、９−３ａ、９−３ｂ・・・溝、１０ａ，１０ｂ、１０ｃ・・・傾斜面、１１・・・ノコ刃後方取付部用保持部、１２・・・ネジ部、１３・・・調整ナット、１４ａ、１４ｂ、１４ｃ・・・傾斜面、Ｅ・・・ノコ刃前方取付部の上方に延びる部位、Ｓ・・・糸ノコ、Ｓ１、Ｓ２・・・固定ピン
【図１】
0003175044.tif 000003
【図２】
0003175044.tif 000004
【図３】
0003175044.tif 000005
【図４】
0003175044.tif 000006
【図５】
0003175044.tif 000007
【図６】
0003175044.tif 000008
【図７】
0003175044.tif 000009
【図８】
0003175044.tif 000010